(57)【要約】  【課題】取出口14に入った虫を確実に除去できる自動販売機を提供する。  【解決手段】取出口枠21の取出口14の後面側から飲料入りのカップＣを送り込み、取出口14の前面側から飲料入りのカップＣを取り出す。取出口14の前面を取出口扉で開閉し、取出口14の後面をシャッタ31で開閉する。取出口扉およびシャッタ31の閉鎖状態の取出口枠21内に、スチーム噴射手段34からスチームを噴射し、取出口14内に入った虫を殺虫して除去し、かつ取出口14内を殺菌する。シャッタ31の開閉に伴い、シャッタ31に設けた台部清掃体42が台部28の上面を清掃する。  【選択図】図１
2005292895.tif 000002
【特許請求の範囲】
【請求項１】
後面側から商品が送り込まれるとともに前面側から商品が取り出される取出口が形成された取出口枠と、
前記取出口の前面を開閉する取出口扉と、
前記取出口の後面を開閉するシャッタと、
前記取出口扉およびシャッタの閉鎖状態で前記取出口枠内にスチームを噴射するスチーム噴射手段と
を具備していることを特徴とする自動販売機。
【請求項２】
前記取出口枠内へのスチームの噴射後に取出口枠内を排気する排気手段を具備している
ことを特徴とする請求項１記載の自動販売機。
【請求項３】
取出口枠の底面に商品を載せる台部が設けられ、
シャッタが前記台部の上面に平行な方向に開閉され、このシャッタには台部の上面に接触するとともにシャッタの開閉に伴って台部の上面を清掃する台部清掃体が設けられた
ことを特徴とする請求項１または２記載の自動販売機。
【請求項４】
取出口枠のシャッタが開放移動する方向の縁部側に、開閉するシャッタの取出口に臨む面に接触するとともにシャッタの開閉に伴って清掃するシャッタ清掃体が設けられた
ことを特徴とする請求項１ないし３いずれか記載の自動販売機。
【発明の詳細な説明】
【技術分野】
【０００１】
本発明は、商品を取り出す取出口を有する自動販売機に関する。
【背景技術】
【０００２】
従来、例えば、カップ内に飲料を調合して販売するカップ式飲料自動販売機では、飲料販売時において、利用者により貨幣が投入され、飲料種類が選択されることにより、まず、カップ供給装置から供給されるカップをカップ搬送装置に受け取り、このカップ搬送装置でカップを適宜移動させながら、原料供給装置から供給される原料をカップに受け入れ、湯や冷水などの希釈液をカップに受け入れ、攪拌具でカップ内の飲料を攪拌し、飲料を調合したカップを機体の前面に形成された取出口に搬送することにより、取出口から飲料入りのカップを取出可能としている。
【０００３】
取出口は前後に開口する取出口枠によって形成され、この取出口枠の前面にはカップを取り出すときに開閉される取出口扉が設けられ、取出口枠の後面には悪戯防止用のシャッタが開閉可能に設けられている（例えば、特許文献１参照。）。
【特許文献１】特開２００３−１４１６２７号公報（第７頁、図８−１０）
【発明の開示】
【発明が解決しようとする課題】
【０００４】
しかしながら、特に夏場の販売時などには、取出口扉を開閉した際などに、取出口に虫が入る可能性があり、以後の販売時に取出口扉を開いたときに、取出口内を虫が飛び回っていたり、取出口から虫が飛び出すなどして、利用者が不快に感じるおそれがある。
【０００５】
本発明は、このような点に鑑みなされたもので、取出口に入った虫を確実に除去できる自動販売機を提供することを目的とする。
【課題を解決するための手段】
【０００６】
請求項１記載の自動販売機は、後面側から商品が送り込まれるとともに前面側から商品が取り出される取出口が形成された取出口枠と、前記取出口の前面を開閉する取出口扉と、前記取出口の後面を開閉するシャッタと、前記取出口扉およびシャッタの閉鎖状態で前記取出口枠内にスチームを噴射するスチーム噴射手段とを具備しているものである。
【０００７】
そして、取出口扉およびシャッタの閉鎖状態の取出口枠内に、スチーム噴射手段からスチームを噴射することにより、取出口内に入った虫を短時間で殺虫して除去するとともに、取出口内を殺菌する。
【０００８】
請求項２記載の自動販売機は、請求項１記載の自動販売機において、前記取出口枠内へのスチームの噴射後に取出口枠内を排気する排気手段を具備しているものである。
【０００９】
そして、取出口枠内へのスチームの噴射後に、排気手段によって取出口枠内を排気することにより、スチームを短時間で除去し、次回の販売時に商品が取出口に送り込まれるまでにスチームの影響を除去する。
【００１０】
請求項３記載の自動販売機は、請求項１または２記載の自動販売機において、取出口枠の底面に商品を載せる台部が設けられ、シャッタが前記台部の上面に平行な方向に開閉され、このシャッタには台部の上面に接触するとともにシャッタの開閉に伴って台部の上面を清掃する台部清掃体が設けられたものである。
【００１１】
そして、シャッタの開閉に伴って、シャッタに設けた台部清掃体が台部の上面に接触しながら移動し、台部の上面に殺虫して落下した虫やスチームの噴射によって付着した水滴を掃い出し、台部の上面を清掃する。
【００１２】
請求項４記載の自動販売機は、請求項１ないし３いずれか記載の自動販売機において、取出口枠のシャッタが開放移動する方向の縁部側に、開閉するシャッタの取出口に臨む面に接触するとともにシャッタの開閉に伴って清掃するシャッタ清掃体が設けられたものである。
【００１３】
そして、取出口枠のシャッタが開放移動する方向の縁部側に設けたシャッタ清掃体で、シャッタの取出口に臨む面に付着した水滴をシャッタの開閉に伴って除去し、シャッタを清掃する。
【発明の効果】
【００１４】
請求項１記載の自動販売機によれば、取出口扉およびシャッタの閉鎖状態の取出口枠内に、スチーム噴射手段からスチームを噴射することにより、取出口内に入った虫を短時間で殺虫して確実に除去できるとともに、取出口内を殺菌できる。
【００１５】
請求項２記載の自動販売機によれば、請求項１記載の自動販売機の効果に加えて、取出口枠内へのスチームの噴射後に、排気手段によって取出口枠内を排気するので、スチームを短時間で除去し、次回の販売時に商品が取出口に送り込まれるまでにスチームの影響を除去できる。
【００１６】
請求項３記載の自動販売機によれば、請求項１または２記載の自動販売機の効果に加えて、シャッタの開閉に伴って、シャッタに設けた台部清掃体が台部の上面に接触しながら移動し、台部の上面に殺虫して落下した虫やスチームの噴射によって付着した水滴を掃い出し、台部の上面を清掃できる。
【００１７】
請求項４記載の自動販売機によれば、請求項１ないし３いずれか記載の自動販売機の効果に加えて、取出口枠のシャッタが開放移動する方向の縁部側に設けたシャッタ清掃体で、シャッタの取出口に臨む面に付着した水滴をシャッタの開閉に伴って除去し、シャッタを清掃できる。
【発明を実施するための最良の形態】
【００１８】
以下、本発明の一実施の形態を図面を参照して説明する。
【００１９】
図３にカップ内に飲料を調合して販売するカップ式飲料自動販売機の正面図を示し、このカップ式飲料自動販売機は、販売機本体11と前面扉12とで構成される機体13を有し、前面扉12には飲料入りカップを取り出す取出口14が形成されている。
【００２０】
機体13内には、カップを供給するカップ供給装置、飲料の原料をカップ内に供給する複数の原料供給装置、湯、冷水および炭酸水などの希釈液をカップ内に供給する希釈液供給装置、氷をカップ内に供給する氷供給装置、カップ供給装置からカップを受け取って原料、希釈液および氷が供給される各供給位置に搬送するとともに飲料が調合された飲料入りカップを取出口14に搬送するカップ搬送装置などが配設されている。
【００２１】
前面扉12には、略中央に取出口14が配置され、取出口14より上部側に商品種類の表示部15、選択ボタン16、貨幣を投入する操作部17が配置され、取出口14より下部側に釣銭や返却硬貨の返却口18が配置されている。
【００２２】
図１および図２に自動販売機の取出口14を示し、取出口14は前後に開口した取出口枠21によって形成されており、機体13内に臨む後面側から商品としての飲料入りのカップＣがカップ搬送装置22によって送り込まれ、前面扉12の前面に臨む前面側からカップＣを取出可能としている。
【００２３】
取出口枠21は、取出口14の上面を形成する上面部25と取出口14の両側面を形成する両側の側面部26とから構成される枠部27、および取出口14の底面を形成する台部28とを有し、台部28上にカップ搬送装置22から送り込まれるカップＣが移載される。台部28には、飲料入りのカップＣの質量を計量して所定の容量の飲料が入れられているか確認するための計量部29が設けられている。
【００２４】
取出口14の前面には、取出口扉30が一側を支点として開閉可能に設けられている。
【００２５】
取出口14の後面には、シャッタ31が取出口枠21の上下に設けられた上下のスライダ32によって台部28の上面に平行な方向であって左右方向に開閉可能に設けられている。このシャッタ31は図示しないシャッタ開閉駆動部によって開閉駆動される。
【００２６】
また、取出口扉30およびシャッタ31の閉鎖状態で取出口枠21内に高温のスチームを噴射するスチーム噴射手段34が設けられている。このスチーム噴射手段34は、取出口枠21の上部に設けられたスチーム噴射口35を有し、スチーム供給装置36から供給されるスチームをスチーム噴射口35から取出口枠21内に噴射する。
【００２７】
取出口枠21内へのスチームの噴射後に取出口枠21内を排気する排気手段38が設けられている。この排気手段38は、取出口枠21の上部に設けられた排気口39を有し、この排気口39に接続された排気装置40によって取出口枠21内の空気とともにスチームを吸引して排気する。
【００２８】
また、シャッタ31の取出口14に臨む前面31aには、台部28の上面に接触するとともにシャッタ31の開閉に伴って台部28の上面を移動して清掃する台部清掃体42が設けられている。この台部清掃体42は、シャッタ31から突設されたアーム43の下面に設けられたブラシ44で構成されている。
【００２９】
取出口枠21のシャッタ31が開放移動する方向すなわち左側の縁部に、開閉するシャッタ31の取出口14に臨む前面31aに接触するとともにシャッタ31の開閉に伴って清掃するシャッタ清掃体46が設けられている。このシャッタ清掃体46は、例えばゴム製のワイパー47で構成されている。
【００３０】
また、カップ搬送装置22は、機体13内を水平方向に移動する移動部51を有し、この移動部51にカップ支持体52が上下方向に移動可能に設けられ、このカップ支持体52にカップＣを載せる櫛歯状のカップ支持台53が設けられているとともにカップＣの両側を保持するカップホルダ54が開閉可能に設けられ、さらに、カップ支持体52にはカップ支持台53上のカップＣを取出口14の台部28に移載するときに押えるための押え部55が設けられている。なお、櫛歯状のカップ支持台53との干渉を避けるために台部28には櫛歯状の溝が形成されている。
【００３１】
そして、カップ支持台53上のカップＣを取出口14の台部28に移載するときには、カップ支持部53の上面が台部28の上面より高い位置で、カップＣを台部28の上方域に進入させた後、カップ支持台53の上面が台部28の上面より低くなるようにカップ支持体52を下降させ、カップＣを台部28上に移載し、最後に、押え部55でカップＣを押えながらカップ支持体52を後退させる。
【００３２】
次に、本実施の形態の動作を説明する。
【００３３】
図３において、飲料販売時には、利用者により機体13の操作部17から貨幣が投入され、選択ボタン16によって飲料種類が選択されることにより、機体13内において、まず、カップ供給装置から供給されるカップＣをカップ搬送装置22のカップ支持体52に受け取り、このカップ搬送装置22でカップＣを適宜移動させながら、原料供給装置から供給される粉末原料をカップＣに受け入れ、湯や冷水などの希釈液をカップＣに受け入れ、カップＣ内に攪拌具を入れて攪拌し、飲料を調合する。なお、取出口14の取出口扉30は閉鎖状態でロックされ、シャッタ31は閉鎖されている。
【００３４】
カップＣ内に飲料を調合したらカップ搬送装置22のカップ支持体52を取出口14の後方へ移動させるとともに、シャッタ31を開放して取出口14の後面を開放し、上述したようにカップ支持台53上のカップＣを取出口14の台部28に移載する。
【００３５】
取出口14の台部28にカップＣを移載した後、シャッタ31を閉鎖し、取出口扉30のロックを解除して利用者により開放可能とするか、別の扉開閉機構によって自動的に開放する。利用者により飲料入りカップＣを取出口14から取り出す。取出口扉30の開放が解除されてばねなどの付勢で閉鎖されるか、扉開閉機構によって取出口扉30が閉鎖されれば、取出口扉30をロックする。
【００３６】
その後、取出口14の取出口扉30およびシャッタ31の閉鎖状態で、スチーム噴射手段34のスチーム供給装置36から供給する高温のスチームをスチーム噴射口35から取出口14内に例えば３０秒間噴射する。そのため、取出口扉30の開放時に、取出口14内に虫が入ったとしても、高温のスチームによって虫を殺虫でき、さらに、取出口14内を殺菌できる。殺虫された虫は台部28上に落下する。
【００３７】
スチームの噴射後、排気手段38の排気装置40を作動させて取出口14内の空気とともにスチームを排気して除去する。
【００３８】
スチームの除去後、シャッタ31を開放移動させ、台部清掃体42のブラシ44が台部28の上面に接触しながら移動し、台部28の上面に落下した虫やスチームの噴射によって付着した水滴を掃い出し、台部28の上面を清掃する。ブラシ44によって台部28の上面から払い出される虫や水滴は台部28と取出口枠21の側面部26との隙間を通じて落下し、その隙間の下方に配置されている容器に収容される。その後、シャッタ31を閉鎖移動させ、シャッタ31で取出口14の後面を閉鎖する。
【００３９】
このシャッタ31の開閉時に、シャッタ清掃体46のワイパー47で、シャッタ31の取出口14に臨む前面31aに付着した水滴をすくい取って除去し、シャッタ31の前面31aを清掃する。ワイパー47によってすくい取られた水滴は下方に落下し、台部清掃体42によって掃い出される虫や水滴を収納する容器と同じ容器に収容される。
【００４０】
このように、取出口扉30およびシャッタ31の閉鎖状態の取出口枠21内に、スチーム噴射手段34から高温のスチームを噴射することにより、取出口14内に入った虫を短時間で殺虫して確実に除去できるとともに、取出口14内を殺菌できる。
【００４１】
特に、スチームを利用することにより、湯を利用する場合に比べて少ない湯水量で、取出口14内に入った虫を短時間で殺虫して確実に除去できるとともに、取出口14内を殺菌できる。
【００４２】
さらに、取出口枠21内へのスチームの噴射後に、排気手段38によって取出口枠21内を排気するので、スチームを短時間で除去でき、次回の販売時に飲料入りのカップＣが取出口14に送り込まれるまでにスチームの影響を除去できる。
【００４３】
また、シャッタ31の開閉に伴って、シャッタ31に設けた台部清掃体42が台部28の上面に接触しながら移動し、台部28の上面に殺虫して落下した虫やスチームの噴射によって付着した水滴を掃い出し、台部28の上面を清掃できる。
【００４４】
取出口枠21のシャッタ31が開放移動する方向の縁部側に設けたシャッタ清掃体46で、シャッタ31の取出口14に臨む前面31aに付着した水滴をシャッタ31の開閉に伴って除去し、シャッタ31を清掃できる。
【００４５】
そのため、利用者が取出口14からカップＣを取り出すときに見えやすい台部28の上面やシャッタ31の前面31aを清掃でき、清潔感を与えることができる。
【００４６】
なお、商品としては飲料入りのカップＣに限らず、缶入り飲料やペットボトル入り飲料などの商品の自動販売機にも適用でき、同様の作用効果が得られる。
【図面の簡単な説明】
【００４７】
【図１】本発明の一実施の形態を示す自動販売機の取出口の正面図である。
【図２】同上自動販売機の取出口の断面図である。
【図３】同上自動販売機の正面図である。
【符号の説明】
【００４８】
14    取出口
21    取出口枠
28    台部
30    取出口扉
31    シャッタ
34    スチーム噴射手段
38    排気手段
42    台部清掃体
46    シャッタ清掃体
Ｃ    商品としての飲料入りのカップ
【図１】
2005292895.tif 000003
【図２】
2005292895.tif 000004
【図３】
2005292895.tif 000005